(57)【特許請求の範囲】
【請求項１】
直管状の発光管と、前記発光管の両端部にそれぞれ設けられた口金とを備え、直管形の蛍光ランプと外形寸法が同寸法に設定されたランプであって、
前記各口金は、それぞれ前記蛍光ランプの口金と同径に設定された大径部と、前記大径部の端面から突設されランプ軸方向から見た面積が前記大径部よりも小さい突台部とで構成され、
前記各突台部には、それぞれ前記蛍光ランプのランプピンと同一長さに設定されるとともに、当該ランプピンよりも径の大きい突起部を部分的に有する２本のランプピンが設けられていることを特徴とするランプ。
【請求項２】
請求項１記載のランプが着脱自在に装着されるランプソケットであって、
前記ランプのランプピンが接続される給電用端子が内部に収納されたソケット本体と、
前記ランプの装着時に前記ランプピンが挿通される挿通溝を有し、前記ソケット本体に回転自在に取り付けられ、前記ランプの回転に応じて回転する回転体とを備え、
前記ソケット本体において前記ランプの口金との対向面には、前記蛍光ランプの口金が干渉し、且つ、前記ランプの前記突台部が干渉しない位置に、前記ランプ側に突出する凸部が設けられていることを特徴とするランプソケット。
【請求項３】
請求項１記載のランプと、請求項２記載のランプソケットとを備えていることを特徴とする照明器具。
【発明の詳細な説明】
【技術分野】
【０００１】
本発明は、ランプ、ランプソケット及びそれらを用いた照明器具に関するものである。
【背景技術】
【０００２】
従来より、蛍光ランプを用いた既存の照明器具に取付可能な代替ランプとして、消費電力の少ないＬＥＤ（発光ダイオード）を光源としたＬＥＤランプが提供されている。しかしながら、このような代替ランプの取付方法は各メーカーで統一されておらず、さらに代替ランプへの対応方法についてもメーカーごとに様々であった。
【０００３】
また、このような照明器具では代替ランプに対応させた後であっても蛍光ランプや他のメーカーの代替ランプに交換する場合が想定されるが、この場合不点灯などの不具合が生じる可能性があり、そのまま装着できないように誤装着を防止する手段が必要であった。例えば引用文献１には、ランプの誤装着を防止するために専用の口金を用いたＬＥＤランプが開示されている。
【先行技術文献】
【特許文献】
【０００４】
【特許文献１】特開２００４−３０９２９号公報（段落［００２５］−段落［００３５］、及び、第１図−第２図）
【発明の概要】
【発明が解決しようとする課題】
【０００５】
上述の特許文献１に示したＬＥＤランプは、専用の口金を用いることで当該ＬＥＤランプのランプソケットへの蛍光ランプの誤装着については防止することができる。しかしながら、このＬＥＤランプではランプピンの形状が蛍光ランプのランプピンに合わせた形状となっており、例えば回転式の蛍光ランプ用のランプソケットの場合には強引に差し込んで装着することが可能であった。つまり、従来のＬＥＤランプは蛍光ランプのランプソケットへの誤装着を確実に防止できるものではなかった。
【０００６】
本発明は上記問題点に鑑みて為されたものであり、その目的とするところは、誤装着を防止したランプ、ランプソケット及びそれらを用いた照明器具を提供することにある。
【課題を解決するための手段】
【０００７】
本発明のランプは、直管状の発光管と、発光管の両端部にそれぞれ設けられた口金とを備え、直管形の蛍光ランプと外形寸法が同寸法に設定されたランプであって、各口金は、それぞれ蛍光ランプの口金と同径に設定された大径部と、大径部の端面から突設されランプ軸方向から見た面積が大径部よりも小さい突台部とで構成され、各突台部には、それぞれ蛍光ランプのランプピンと同一長さに設定されるとともに、当該ランプピンよりも径の大きい突起部を部分的に有する２本のランプピンが設けられていることを特徴とする。ここに、上記の外形寸法とは、発光管の長さ寸法及び口金のランプソケットへの取付部分に係る寸法のことをいう。
【０００８】
本発明のランプソケットは、上記のランプが着脱自在に装着されるランプソケットであって、ランプのランプピンが接続される給電用端子が内部に収納されたソケット本体と、ランプの装着時にランプピンが挿通される挿通溝を有し、ソケット本体に回転自在に取り付けられ、ランプの回転に応じて回転する回転体とを備え、ソケット本体においてランプの口金との対向面には、蛍光ランプの口金が干渉し、且つ、ランプの突台部が干渉しない位置に、ランプ側に突出する凸部が設けられていることを特徴とする。
【０００９】
本発明の照明器具は、上記のランプと、上記のランプソケットとを備えていることを特徴とする。
【発明の効果】
【００１０】
誤装着を防止したランプ、ランプソケット及び照明器具を提供することができるという効果がある。
【図面の簡単な説明】
【００１１】
【図１】本発明に係る照明器具を示し、（ａ）はランプを装着する前の斜視図、（ｂ）は同上の正面図である。
【図２】（ａ）は同上の下面図、（ｂ）はその要部拡大図である。
【図３】（ａ）は本発明に係るランプを蛍光ランプ用のランプソケットに装着する前の斜視図、（ｂ）は同上の正面図である。
【図４】（ａ）は同上の下面図、（ｂ）はその要部拡大図である。
【図５】（ａ）は本発明に係るランプソケットに蛍光ランプを装着する前の斜視図、（ｂ）は同上の正面図である。
【図６】（ａ）は同上の下面図、（ｂ）はその要部拡大図である。
【図７】（ａ）は本発明に係るランプをランプソケットに装着する前の斜視図、（ｂ）は同上の正面図である。
【図８】（ａ）は同上の下面図、（ｂ）はその要部拡大図である。
【図９】（ａ）は蛍光ランプをランプソケットに装着する前の斜視図、（ｂ）は同上の正面図である。
【図１０】（ａ）は同上の下面図、（ｂ）はその要部拡大図である。
【発明を実施するための形態】
【００１２】
以下に、本発明に係るランプ、ランプソケット及び照明器具の実施形態を図面に基づいて説明する。
【００１３】
本実施形態の照明器具Ａは、図１及び図２に示すように、直管形のＬＥＤランプ（ランプ）１と、ＬＥＤランプ１が着脱自在に装着される一対のランプソケット２，２とを主な構成要素として備える。
【００１４】
ＬＥＤランプ１は、透光性材料（例えばガラスなど）により形成された直管状の発光管１０と、発光管１０の長手方向（図１（ｂ）中の左右方向）両端部にそれぞれ設けられた口金１１，１１とを具備し、蛍光ランプ４（図５参照）と外形寸法が同寸法に設定されている。ここに、外形寸法とは発光管１０の長さ寸法及び口金１１のランプソケット２への取付部分に係る寸法のことをいう。各口金１１は、それぞれ蛍光ランプ４の口金４１と同径に設定された大径部１１ａと、大径部１１ａの端面から突設され、ランプ軸方向（図１（ｂ）中の左右方向）から見た面積が大径部１１ａよりも小さい円形の突台部１１ｂとで構成される。
【００１５】
また、各突台部１１ｂには、それぞれ蛍光ランプ４のランプピン４２と同一長さに設定されるとともに、ランプピン４２よりも径の大きい突起部１２ａを先端に有する２本のランプピン１２，１２が突設されている。なお、上記の発光管１０の内部には、例えば複数のＬＥＤが実装されたプリント基板（図示せず）が収納されており、各口金１１，１１に設けたランプピン１２，１２を介して供給される直流電力によって各ＬＥＤが点灯するようになっている。また、各ランプピン１２は、突起部１２ａを除く部分がランプピン４２と同径に設定されている。
【００１６】
ランプソケット２は、ソケット本体２０と、ソケット本体２０に回転自在に取り付けられる回転子（回転体）２３と、ソケット本体２０の内部に収納される一対の給電用端子（図示せず）とを主な構成要素として具備する。ソケット本体２０は、後面側（ＬＥＤランプ１と反対側）が開口する箱状のボディ２１と、ボディ２１の後面開口を閉塞するようにしてボディ２１に取り付けられるカバー２２とで構成されており、ボディ２１及びカバー２２はともに合成樹脂成形品からなる。
【００１７】
ボディ２１の前面（ＬＥＤランプ１との対向面）には円形の開口部２１ｂが設けられており、さらに開口部２１ｂに連続するようにして挿通溝２１ｄが下面側に設けられている（図２（ａ）（ｂ）参照）。なお、開口部２１ｂの開口寸法は回転子２３の外径寸法と略同寸法に設定されており、開口部２１ｂを閉塞するようにして回転子２３がボディ２１に回転自在に取り付けられる。また、ボディ２１の上面には点灯回路（図示せず）からの電線が導入される一対の電線導入孔２１ａ，２１ａが設けられており、各電線導入孔２１ａの内部には各電線が電気的に接続される上記の給電用端子がそれぞれ収納されている。さらに、ボディ２１の前面において開口部２１ｂの開口端縁には、前面側に突出する円弧状の凸部２１ｃが上側半分に設けられている。なお、凸部２１ｃの曲率半径は口金１１の突台部１１ｂの半径よりも大きく、且つ、蛍光ランプ４の口金４１の半径よりも小さく設定されている。つまり、凸部２１ｃは、ランプ装着時において蛍光ランプ４の口金４１が干渉し、且つ、ＬＥＤランプ１の口金１１の突台部１１ｂが干渉しないように設けられている。
【００１８】
回転子２３には、ランプピン１２が挿通可能なように、ランプピン１２の外形形状よりもわずかに大きい寸法に設定された挿通溝２３ａが上下方向に沿って設けられている（図１（ａ）及び図２（ｂ）参照）。そして、ＬＥＤランプ１をランプソケット２に装着していない状態では、図１（ａ）に示すように、ボディ２１の挿通溝２１ｄと回転子２３の挿通溝２３ａとが連続するようになっている。
【００１９】
ここで、ＬＥＤランプ１をランプソケット２，２に装着する手順について説明する。まず、ＬＥＤランプ１の各口金１１にそれぞれ設けられたランプピン１２，１２の配列方向が上下方向となるようにＬＥＤランプ１の向きを合わせた後、下側からＬＥＤランプ１をランプソケット２，２に近づける。このとき、各ランプピン１２，１２は、それぞれボディ２１の挿通溝２１ｄ及び回転子２３の挿通溝２３ａを通って所定位置まで挿入され、また各口金１１の突台部１１ｂは、それぞれボディ２１の凸部２１ｃの内面に当接した状態になる。この状態からＬＥＤランプ１をランプ軸方向（図１（ｂ）中の左右方向）の回りに９０度回転させると、ＬＥＤランプ１の回転に応じて回転子２３も回転し、各ランプピン１２がそれぞれ対応する給電用端子に接触する。その結果、ＬＥＤランプ１が両ランプソケット２，２に電気的且つ機械的に保持されて、ＬＥＤランプ１のランプソケット２，２への装着が完了する。
【００２０】
なお、ＬＥＤランプ１への給電方法については、両口金１１，１１のランプピン１２，１２を用いて給電してもいいし、片側の口金１１のランプピン１２，１２のみを用いて給電してもよい。後者の場合には、片側の口金１１のランプピン１２，１２はダミーピンとなる。
【００２１】
次に、本発明に係るＬＥＤランプ１を蛍光ランプ用のランプソケット３に装着する場合について、図３及び図４を参照しながら説明する。なお、ＬＥＤランプ１については既に説明しているので、ここでは説明を省略する。
【００２２】
蛍光ランプ用のランプソケット３は、図３（ａ）に示すように、ボディ３１とカバー３２とで構成される合成樹脂製のソケット本体３０と、ソケット本体３０に回転自在に取り付けられる回転子（回転体）３３と、ソケット本体３０の内部に収納される一対の給電用端子（図示せず）とを主な構成要素として具備する。ここに、ランプソケット３は、ボディ３１の挿通溝３１ｄ及び回転子３３の挿通溝３３ａが蛍光ランプ４のランプピン４２の外形形状よりもわずかに大きい寸法（つまりランプピン１２が挿通できない大きさ）に設定されている点、及び、ボディ３１の前面に凸部が設けられていない点以外は上述のランプソケット２と同様であるから、詳細な説明については省略する。
【００２３】
このランプソケット３にＬＥＤランプ１を装着しようとした場合、ボディ３１の挿通溝３１ｄ及び回転子３３の挿通溝３３ａが、ランプピン４２の外形形状よりもわずかに大きい寸法に設定されていることから、ランプピン４２よりも径の大きい突起部１２ａを有するランプピン１２は挿通溝３１ｄ，３３ａに挿通させることができない（図４（ａ）（ｂ）参照）。その結果、蛍光ランプ用のランプソケット３にはＬＥＤランプ１を装着することができず、誤装着が防止される。
【００２４】
次に、本発明に係るランプソケット２に蛍光ランプ４を装着する場合について、図５及び図６を参照しながら説明する。なお、ランプソケット２については既に説明しているので、ここでは説明を省略する。
【００２５】
蛍光ランプ４は、図５（ａ）に示すように、直管状の発光管４０と、発光管４０の長手方向（図５（ｂ）中の左右方向）両端部にそれぞれ設けられた口金４１，４１とを具備し、各口金４１には、それぞれ２本のランプピン４２，４２が突設されている。
【００２６】
このランプソケット２に蛍光ランプ４を装着しようとした場合、ボディ２１の挿通溝２１ｄ及び回転子２３の挿通溝２３ａが、ＬＥＤランプ１のランプピン１２の外形形状よりも大きい寸法に設定されているため、ランプピン４２を挿通溝２１ｄ，２３ａに挿通することはできる。しかしながら、ランプソケット２には、蛍光ランプ４の口金４１の半径よりも曲率半径の小さい凸部２１ｃが設けられているため、蛍光ランプ４を装着する際には口金４１が凸部２１ｃに干渉して装着することができない（図５（ａ）参照）。その結果、ランプソケット２には蛍光ランプ４を装着することができず、誤装着が防止される。
【００２７】
以上の結果から、本実施形態によれば、ＬＥＤランプ１のランプピン１２に設けられた突起部１２ａによって蛍光ランプ用のランプソケット３にはＬＥＤランプ１を装着できず、またソケット本体２０に設けられた凸部２１ｃによってランプソケット２には蛍光ランプ４を装着できないことから、蛍光ランプ４との間で誤装着を防止した照明器具Ａを提供することができる。
【００２８】
なお、本実施形態では光源としてＬＥＤを用いているが、蛍光ランプ以外の光源であればＬＥＤに限定されるものではない。また、本実施形態ではランプピン１２の先端に突起部１２ａを設けているが、蛍光ランプ４のランプピン４２と区別できるようになっていればよく、ランプピン１２の途中位置や根元部分に突起部１２ａを設けてもよい。さらに、ＬＥＤランプ１の突台部１１ｂの形状やランプソケット２の凸部２１ｃの形状は本実施形態に限定されるものではなく、蛍光ランプ４を装着する際には口金４１に干渉し、ＬＥＤランプ１を装着する際には突台部１１ｂが干渉しないようになっていれば他の形状でもよい。
【００２９】
ところで、上述したＬＥＤランプ１と蛍光ランプ４の両方に対応したランプソケットも考えられ、このようなランプソケットについて図７〜図１０を参照しながら説明する。なお、ＬＥＤランプ１及び蛍光ランプ４については既に説明しているので、ここでは説明を省略する。
【００３０】
ランプソケット５は、図７及び図９に示すように、ボディ５１とカバー５２とで構成される合成樹脂製のソケット本体５０と、ソケット本体５０に回転自在に取り付けられる回転子（回転体）５３と、ソケット本体５０の内部に収納される一対の給電用端子（図示せず）とを主な構成要素として具備する。ここに、ランプソケット５は、凸部を設けていない点以外は上述のランプソケット２と同様であるから、詳細な説明については省略する。
【００３１】
ここで、ボディ５１の挿通溝５１ｄ及び回転子５３の挿通溝５３ａは、ＬＥＤランプ１のランプピン１２の外形形状よりもわずかに大きい寸法に設定されているため（図８（ａ）（ｂ）参照）、ＬＥＤランプ１をランプソケット５，５に装着することができる。また、蛍光ランプ４のランプピン４２は挿通溝５１ｄ，５３ａに挿通可能な大きさであって（図１０（ａ）（ｂ）参照）、且つ、ソケット本体５０には凸部が設けられていないので、蛍光ランプ４もランプソケット５に装着することができる。つまり、このランプソケット５によれば、ＬＥＤランプ１及び蛍光ランプ４の双方が装着可能なランプソケットを提供することができる。
【００３２】
なおこの場合、装着されるランプに応じて点灯回路を変更する必要があるが、スイッチなどで切り替えられるようになっていてもいいし、装着されるランプに応じて点灯回路を交換するようになっていてもよい。また、装着されたランプを検出して自動的に点灯回路が切り替えられるようになっていてもよい。
【符号の説明】
【００３３】
１  ＬＥＤランプ（ランプ）
２  ランプソケット
１０  発光管
１１  口金
１１ａ  大径部
１１ｂ  突台部
１２  ランプピン
１２ａ  突起部
２０  ソケット本体
２１  ボディ
２１ｃ  凸部
２２  カバー
２３  回転子（回転体）
Ａ  照明器具
【図１】
0005685057.tif 000002
【図２】
0005685057.tif 000003
【図３】
0005685057.tif 000004
【図４】
0005685057.tif 000005
【図５】
0005685057.tif 000006
【図６】
0005685057.tif 000007
【図７】
0005685057.tif 000008
【図８】
0005685057.tif 000009
【図９】
0005685057.tif 000010
【図１０】
0005685057.tif 000011